(57)【要約】【課題】ガスボンベなどの三次曲面に皺なく貼着することができる非接触型データ受送信体およびこれを備えたガスボンベを提供する。【解決手段】本発明の非接触型データ受送信体１０は、伸縮性の基材１１と、基材１１の一方の面１１ａに設けられた粘着層１２と、粘着層１２の一方の面１２ａに設けられ互いに接続されたアンテナ１３およびＩＣチップ１４と、粘着層１２の一方の面１２ａにおいてアンテナ１３およびＩＣチップ１４を覆うように設けられた磁性層１５と、を備え、基材１１は、ポリウレタン樹脂またはポリエチレン樹脂からなることを特徴とする。【選択図】図１
2010262406.tif 000002
【特許請求の範囲】
【請求項１】
伸縮性の基材と、該基材の一方の面に設けられた粘着層と、該粘着層の前記基材と接する面とは反対側の面に設けられ互いに接続されたアンテナおよびＩＣチップと、前記粘着層の前記反対側の面において前記アンテナおよび前記ＩＣチップを覆うように設けられた磁性層と、を備えた非接触型データ受送信体であって、
前記基材は、ポリウレタン樹脂またはポリエチレン樹脂からなることを特徴とする非接触型データ受送信体。
【請求項２】
前記基材は、平面視略楕円形状をなしていることを特徴とする請求項１に記載の非接触型データ受送信体。
【請求項３】
前記磁性層の外縁が、前記基材および前記粘着層の外縁部よりも内側に配置されていることを特徴とする請求項１または２に記載の非接触型データ受送信体。
【請求項４】
ガスボンベ本体と、請求項１ないし３のいずれか１項に記載の非接触型データ受送信体と、を備えたガスボンベであって、
前記非接触型データ受送信体は、前記ガスボンベ本体の三次曲面に沿って貼着され、さらに透明塗膜により被覆されて、前記ガスボンベ本体と一体化されたことを特徴とするガスボンベ。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波を媒体として外部から情報を受信し、また外部に情報を送信できるようにした非接触型データ受送信体およびこれを備えたガスボンベに関し、さらに詳しくは、ガスボンベ本体の三次曲面に対して良好に貼着することができる非接触型データ受送信体およびこれを備えたガスボンベに関するものである。
【背景技術】
【０００２】
医療用酸素などを充填する軽量高圧ガスボンベとしては、一般的に、繊維強化プラスチック複合容器が用いられている。
このような高圧ガスボンベの管理には、バーコードラベルなどが用いられている。
ガスボンベ用のバーコードラベルは、ガスボンベの管理番号、品番、充填ガス名、ガスを充填した日付などを表示するものである。
【０００３】
ガスボンベは、屋外に設置されることが多いため、日光が直射したり、雨露に濡れたり、排気ガスに曝されたりして、バーコードが汚れたり劣化し、バーコードラベルの寿命が短縮され、バーコードの読取精度に悪影響を及ぼすことがあった。
そこで、保護シートでバーコードラベルを完全に覆う技術が開示されている（例えば、特許文献１参照）。
【先行技術文献】
【特許文献】
【０００４】
【特許文献１】特開２００１−０８２６９９号公報
【発明の概要】
【発明が解決しようとする課題】
【０００５】
しかしながら、バーコードラベルは、表示可能な情報量が少なく、制限がある上に、表示すべき情報が異なる場合、貼り替える必要があった。また、バーコードラベルは、貼り替えが容易であるため、情報の改ざんが可能であった。
また、従来のバーコードラベルは、ガスボンベの三次曲面に貼着すると、皺が生じてしまい、ラベルとガスボンベの間に隙間が生じることがあった。そのため、保護シートでバーコードラベルを覆っても、ガスボンベを屋外に設置しておくと、ラベルとガスボンベの間に雨露に起因する水分が浸入し、ラベルが剥離することがあった。
【０００６】
本発明は、上記事情に鑑みてなされたものであって、ガスボンベなどの三次曲面に皺なく貼着することができる非接触型データ受送信体およびこれを備えたガスボンベを提供することを目的とする。
【課題を解決するための手段】
【０００７】
本発明の非接触型データ受送信体は、伸縮性の基材と、該基材の一方の面に設けられた粘着層と、該粘着層の前記基材と接する面とは反対側の面に設けられ互いに接続されたアンテナおよびＩＣチップと、前記粘着層の前記反対側の面において前記アンテナおよび前記ＩＣチップを覆うように設けられた磁性層と、を備えた非接触型データ受送信体であって、前記基材は、ポリウレタン樹脂またはポリエチレン樹脂からなることを特徴とする。
【０００８】
前記基材は、平面視略楕円形状をなしていることが好ましい。
前記磁性層の外縁が、前記基材および前記粘着層の外縁部よりも内側に配置されていることが好ましい。
【０００９】
本発明のガスボンベは、ガスボンベ本体と、本発明の非接触型データ受送信体と、を備えたガスボンベであって、前記非接触型データ受送信体は、前記ガスボンベ本体の三次曲面に沿って貼着され、さらに透明塗膜により被覆されて、前記ガスボンベ本体と一体化されたことを特徴とする。
【発明の効果】
【００１０】
本発明の非接触型データ受送信体によれば、伸縮性の基材と、該基材の一方の面に設けられた粘着層と、該粘着層の前記基材と接する面とは反対側の面に設けられ互いに接続され前記基材を支持体としたアンテナおよびＩＣチップと、前記粘着層の前記反対側の面において前記アンテナおよび前記ＩＣチップを覆うように設けられた磁性層と、を備えた非接触型データ受送信体であって、前記基材は、ポリウレタン樹脂またはポリエチレン樹脂からなるので、非接触型データ受送信体を三次曲面に貼着する際、基材がその三次曲面に沿って伸縮するから、その三次曲面に、非接触型データ受送信体を皺なく貼着することができる。したがって、三次曲面と非接触型データ受送信体の間に、その皺に起因する隙間が生じることがない。ゆえに、アンテナやＩＣチップが、外気に触れることも水分に触れることもないので、これらの酸化や腐食による劣化を防止できる。
また、本発明の非接触型データ受送信体をガスボンベ本体の三次曲面に貼着し、さらに透明塗膜により被覆した場合、透明塗膜には、非接触型データ受送信体の皺に起因するひび割れが生じることがない。ゆえに、ガスボンベの外観およびアクリル樹脂に由来する耐候性、耐薬品性が損なわれることはない。
【図面の簡単な説明】
【００１１】
【図１】本発明の非接触型データ受送信体の一実施形態を示す概略図であり、（ａ）は平面図、（ｂ）は（ａ）のＡ−Ａ線に沿う断面図である。
【図２】本発明のガスボンベの一実施形態を示す概略斜視図である。
【図３】ガスボンベ本体の表面に貼着された非接触型データ受送信体を示す概略断面図である。
【発明を実施するための形態】
【００１２】
本発明の非接触型データ受送信体およびこれを備えたガスボンベの実施の形態について説明する。
なお、この形態は、発明の趣旨をより良く理解させるために具体的に説明するものであり、特に指定のない限り、本発明を限定するものではない。
【００１３】
図１は、本発明の非接触型データ受送信体の一実施形態を示す概略図であり、（ａ）は平面図、（ｂ）は（ａ）のＡ−Ａ線に沿う断面図である。
この実施形態の非接触型データ受送信体１０は、伸縮性の基材１１と、基材１１の一方の面１１ａに設けられた粘着層１２と、粘着層１２の基材１１と接する面とは反対側の面（以下、「一方の面」という。）１２ａに設けられ互いに接続され、基材１１を支持体とするアンテナ１３およびＩＣチップ１４と、粘着層１２の一方の面１２ａにおいてアンテナ１３およびＩＣチップ１４を覆うように設けられた磁性層１５とから概略構成されている。
【００１４】
基材１１は平面視略楕円形状をなしており、粘着層１２は基材１１とほぼ同様の形状をなしており、磁性層１５は平面視長方形状をなしている。
また、基材１１は、平面視した場合、アンテナ１３およびＩＣチップ１４を覆う磁性層１５よりも面積が大きくなっている。すなわち、アンテナ１３、ＩＣチップ１４および磁性層１５は、粘着層１２の一方の面１２ａの内側の領域（中央部側の領域）に配置されている。詳細には、アンテナ１３およびＩＣチップ１４を覆う長方形状の磁性層１５は、その長手方向が楕円形状の基材１１および粘着層１２の長軸に沿って配置され、かつ、それぞれの辺が基材１１および粘着層１２の外縁部よりも内側に配置されている。
【００１５】
基材１１としては、ポリウレタン樹脂またはポリエチレン樹脂からなる伸縮性の基材が用いられる。
【００１６】
粘着層１２は、非接触型データ受送信体１０をガスボンベなどの三次曲面に貼付するために設けられたものであり、ガスボンベなどの三次曲面に粘着可能な粘着剤で構成されている。このような粘着剤としては、再剥離を意図しない強粘着型の粘着剤が用いられ、例えば、アクリル樹脂、ポリウレタン樹脂、エポキシ樹脂、ウレタン樹脂、天然ゴム系粘着剤、合成ゴム系粘着剤などが挙げられる。
【００１７】
アンテナ１３としては、金属線が螺旋状に多重に重ね巻きされてなるコイルアンテナが用いられる。
金属線としては、銀線、銅線、金線、アルミニウム線などが挙げられる。この金属線の表面は、絶縁性樹脂で被覆されている。したがって、アンテナ１３を形成している金属線は、互いに絶縁されている。
【００１８】
ＩＣチップ１４としては、特に限定されず、アンテナ１３を介して非接触状態にて情報の書き込みおよび読み出しが可能なものであれば、非接触型ＩＣタグや非接触型ＩＣラベル、あるいは非接触型ＩＣカードなどのＲＦＩＤメディアに適用可能なものであればいかなるものでも用いられる。
【００１９】
磁性層１５は、少なくとも磁性微粒子からなるフィラーを樹脂に含有してなる複合体から構成されている。このような磁性層１５において、非接触型データ受送信体１０を基材１１の一方の面１１ａ側から見て、磁性層１５を構成する多数の磁性微粒子は、少なくともその一部が互いに重なり、隣接した１つの磁性体を形成している。
【００２０】
磁性層１５をなす複合体は、磁性微粒子からなるフィラーと、樹脂とから概略構成されている。
この複合体は、磁性微粒子からなるフィラーと、樹脂と、添加剤と、溶媒とを含む磁性塗料を塗布、乾燥することによって、磁性微粒子がほぼ均一に分散した形態に成形されてなるものか、あるいは、磁性微粒子からなるフィラーと、樹脂と、添加剤と、溶媒とを含むシート状の部材である。
【００２１】
また、磁性微粒子としては、粉末状の磁性体粉末、または、この磁性体粉末をボールミルなどで微細化して粉末を成形した後、この粉末を機械的に扁平化して得られた扁平状のフレークなどからなる磁性体フレークが挙げられる。これらの中でも、磁性微粒子としては、扁平状のものが好ましい。磁性微粒子が扁平状であれば、非接触型データ受送信体１０を基材１１の一方の面１１ａ側から見て、磁性層１５を構成する多数の磁性微粒子が、少なくともその一部が互いに重なり、隣接した１つの磁性体を形成しやすい。したがって、より磁束が磁性層１５を通ってアンテナ１３に捕捉され易くなる。
【００２２】
さらに、磁性体粉末としては、例えば、センダスト（Ｆｅ−Ｓｉ−Ａｌ合金）粉末、カーボニル鉄粉末、パーマロイなどのアトマイズ粉末、還元鉄粉末などが挙げられる。磁性体フレークとしては、例えば、磁性体粉末をボールミルなどで微細化して粉末を成形した後、この粉末を機械的に扁平化して得られたフレークや、鉄系またはコバルト系アモルファス合金の溶湯を水冷銅板に衝突させて得られたフレークなどが挙げられる。これらの中でも、磁性微粒子としては、センダストからなる磁性体粉末または磁性体フレークが好ましく、センダストからなる磁性体フレークがより好ましい。磁性微粒子が、センダストからなる磁性体粉末または磁性体フレークであれば、これらを構成要素として含む磁性層１５の飽和磁束密度および透磁率が高くなるので、より磁束が磁性層１５を通ってアンテナ１３に捕捉され易くなる。
【００２３】
なお、磁性層１５をなす磁性微粒子の形状は、その全てが粉末状あるいは扁平状のいずれか一方である必要はない。磁性層１５には、粉末状の磁性微粒子と扁平状の磁性微粒子が混在していてもよく、このように形状の異なる磁性微粒子が混在していても、本発明の非接触型データ受送信体は十分に効果を発揮する。
【００２４】
磁性層１５をなす複合体を構成する樹脂としては、熱可塑性樹脂、熱硬化性樹脂、反応型樹脂などが挙げられる。
【００２５】
熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン・プロピレン共重合体ゴムなどのポリマー系の合成ゴム材料などが挙げられる。
【００２６】
熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００２７】
また、磁性層１５をなす複合体には、磁性層１５に粘着性を付与するために、各種粘着剤が含まれていてもよい。
【００２８】
また、磁性層１５をなす複合体を形成するために用いられる磁性塗料に含まれる添加剤としては、粘度調整剤、消泡剤、レベリング剤などが挙げられる。
【００２９】
さらに、この磁性塗料に含まれる溶媒としては、シクロヘキサノン、アセトン、ベンゼン系、エチル系などの有機溶媒が挙げられる。
【００３０】
次に、図２、図３を参照して、本発明のガスボンベの一実施形態を説明して、非接触型データ受送信体１０の使用方法を説明する。
図２は、本発明のガスボンベの一実施形態を示す概略斜視図である。図３は、ガスボンベ本体の表面に貼着された非接触型データ受送信体を示す概略断面図である。
この実施形態のガスボンベ２０は、高圧ガスが充填されるガスボンベ本体２１と、ガスボンベ本体２１に貼着された非接触型データ受送信体１０とから概略構成されている。
【００３１】
非接触型データ受送信体１０は、粘着層１２を介して、ガスボンベ本体２１の三次曲面２１ａに沿って、その長手方向がガスボンベ本体２１の長手方向と垂直な方向に延在するように貼着されている。すなわち、非接触型データ受送信体１０は、粘着層１２および磁性層１５を内側にして、ガスボンベ本体２１の三次曲面２１ａに沿って貼着されている。
【００３２】
ガスボンベ本体２１の三次曲面２１ａとは、首部２１ｂと胴部２１ｃの間にある、いわゆる肩の部分である。
非接触型データ受送信体１０は、ガスボンベ本体２１の三次曲面２１ａに粘着層１２および磁性層１５が当接されるとともに、ガスボンベ本体２１の三次曲面２１ａに沿って基材１１および粘着層１２の外縁部を少しずつ伸ばしながら、皺が発生しないように貼着されている。
【００３３】
さらに、図３に示すように、ガスボンベ本体２１の三次曲面２１ａに貼着された非接触型データ受送信体１０は、透明塗膜２２により被覆されて、ガスボンベ本体１２と一体化されている。
【００３４】
ガスボンベ本体２１としては、金属あるいは非金属材料からなる容器ライナーに、繊維強化プラスチックを多層に巻き付けたものが用いられる。具体的には、ガスボンベ本体２１としては、アルミニウム合金などからなる容器ライナーに、樹脂を含浸させたガラス繊維などの繊維強化樹脂をヘリカルに巻き、フープ巻き、さらにはフルラップ巻きによって巻き付けた後、加熱炉中で樹脂の硬化処理を行い、耐圧試験後、表面にクリアラッカーなどの塗装を施したものが用いられる。
【００３５】
透明塗膜２２を形成する材料としては、アクリル樹脂系の塗料が用いられる。
【００３６】
このように、このガスボンベ２０は、基材１１としてポリウレタン樹脂またはポリエチレン樹脂からなる伸縮性の基材を用いた非接触型データ受送信体１０が、ガスボンベ本体２１の三次曲面２１ａに沿って貼着されたので、基材１１および粘着層１２の外縁部がその三次曲面２１ａの形状に追従して伸縮するから、ガスボンベ本体２１の三次曲面２１ａに、非接触型データ受送信体１０が皺なく貼着されている。したがって、ガスボンベ本体２１の三次曲面２１ａと非接触型データ受送信体１０の間に、その皺に起因する隙間が生じることがなく、また、非接触型データ受送信体１０を被覆する透明塗膜２２には、非接触型データ受送信体１０の皺に起因するひび割れが生じることがない。ゆえに、ガスボンベ２０の外観およびアクリル樹脂に由来する耐候性、耐薬品性が損なわれることはない。また、非接触型データ受送信体１０のアンテナ１３やＩＣチップ１４は、外気に触れることも水分に触れることもないので、これらの酸化や腐食による劣化を防止できる。
【００３７】
なお、非接触型データ受送信体１０に皺が生じて、アンテナ１３にも皺が生じていると、アンテナ１３の通信特性が劣化するため、ガスボンベ本体２１の三次曲面２１ａに、非接触型データ受送信体１０を皺なく貼着することにより、非接触型データ受送信体１０は十分に機能を発揮する。
【００３８】
また、基材１１および粘着層１２の形状を、平面視略楕円形状としたので、非接触型データ受送信体１０は、ガスボンベ本体２１の三次曲面２１ａの形状に追従しやすくなり、非接触型データ受送信体１０に皺が生じるのを防止する効果が高くなる。
さらに、長方形状の磁性層１５は、その長手方向が楕円形状の基材１１および粘着層１２の長軸に沿って配置され、かつ、それぞれの辺が基材１１および粘着層１２の外縁部よりも内側に配置されているので、アンテナ１３や磁性層１５の存在が非接触型データ受送信体１０における皺の発生に影響を及ぼすことが軽減されるから、非接触型データ受送信体１０に皺が生じるのを防止する効果がさらに高くなる。
【００３９】
また、ガスボンベ２０は、高圧ガスが充填されるガスボンベ本体２１と非接触型データ受送信体１０が一体化されているので、ガスボンベの管理番号、品番、充填ガス名、ガスを充填した日付などを容易に改ざんすることができなくなり、管理上の安全性が向上する。さらに、充填ガスの種類や、新たにガスを充填した時の日付などを書き換える場合、非接触型データ受送信体１０を貼り替えることなく、ＩＣチップ１４への情報の書き込みを行うだけでよいので、バーコードラベルのように、新しいラベルの貼り替え作業の手間を省くことができるので、管理コストを低減することができる。
【符号の説明】
【００４０】
１０・・・非接触型データ受送信体、１１・・・基材、１２・・・粘着層、１３・・・アンテナ、１４・・・ＩＣチップ、１５・・・磁性層、２０・・・ガスボンベ、２１・・・ガスボンベ本体、２２・・・透明塗膜。
【図１】
2010262406.tif 000003
【図２】
2010262406.tif 000004
【図３】
2010262406.tif 000005